(57)【要約】【課題】オペレータが十分な量のマイナスイオンを効果的に吸入できるようにし、かつ、その形状が小形で、かつ、構成が簡単な電子機器における環境改善装置の提供をする。【解決手段】電子機器１が、外殻を構成するハウジング７と、このハウジング７内に収容されオペレータ４の操作を入力することにより作動する電子部品８とを備える。電子機器１における環境改善装置２３が、ハウジング７内に収容され電動機１７により駆動されるファン２５と、マイナスイオンを発生してこのマイナスイオンをファン２５により生じた空気流２４に混入させるイオン発生手段２７と、マイナスイオンを混入した空気流２４がオペレータ４側に向いハウジング７内からその外部に流出するようこの空気流２４を案内する案内手段２８とを備える。【選択図】　　図１
2004129806.tif 000002
【特許請求の範囲】
【請求項１】
外殻を構成するハウジングと、このハウジング内に収容されオペレータの操作を入力することにより作動する電子部品とを備えた電子機器において、
上記ハウジング内に収容され電動機により駆動されるファンと、マイナスイオンを発生してこのマイナスイオンを上記ファンにより生じた空気流に混入させるイオン発生手段と、上記マイナスイオンを混入した空気流がオペレータ側に向い上記ハウジング内からその外部に流出するようこの空気流を案内する案内手段とを備えた電子機器における環境改善装置。
【請求項２】
上記電動機に連動連結されて上記ハウジングを振動させる振動発生体を備え、上記イオン発生手段が、上記ハウジングに取り付けられその内部を上記空気流が通過するケースと、このケース内に収容されマイナスイオンを発生するイオン発生物質とを備えた請求項１に記載の電子機器における環境改善装置。
【請求項３】
外殻を構成するハウジングと、このハウジング内に収容され電力が供給されることによりこのハウジングを振動させる振動発生機とを備えた電子機器において、
上記ハウジングに取り付けられ外部と連通する開口部を有するケースと、このケース内に収容されマイナスイオンを発生するイオン発生物質とを備えた電子機器における環境改善装置。
【請求項４】
上記ケース内に光触媒物質を収容させ、上記ケースを透明材で成形した請求項２，もしくは３に記載の電子機器における環境改善装置。
【発明の詳細な説明】
【０００１】
【発明が属する技術分野】
本発明は、電子機器のオペレータがマイナスイオンを効果的に呼吸できるようにした電子機器における環境改善装置に関するものである。
【０００２】
【従来の技術】
【０００３】
【特許文献１】特開２０００‐４２２５１号公報
【０００４】
【特許文献２】特開２００１‐２３０１０５号公報
【０００５】
電子機器には、従来、上記特許文献１で示されるゲーム機があり、これによれば、その外殻を構成するハウジングと、このハウジング内に収容されオペレータ（プレーヤー）の操作を入力することにより作動する電子部品（制御部）とを備え、この電子部品はテレビに接続可能とされている。
【０００６】
上記ゲーム機によりゲームをしようとするとき、オペレータが所望の操作を電子部品に入力すると、この操作に応じた内容が上記テレビに表示されるようになっており、この表示に対応する操作を次々と行うことによりゲームを楽しむことができる。
【０００７】
ところで、上記電子機器を作動させると、その周辺の空気が陽性化して、プラスイオンが多く発生することが知られており、このプラスイオンはオペレータに頭痛など不快感を生じさせるおそれがあって好ましくない。
【０００８】
そこで、上記特許文献２で示されるようなマイナスイオン発生物質を上記電子機器の周辺に設置して、マイナスイオンを発生させ、もって、オペレータが不快にならないようにすることが考えられる。
【０００９】
【発明が解決しようとする課題】
しかし、上記マイナスイオン発生物質の設置には制限があって、これがオペレータから離れている場合において、このマイナスイオン発生物質からのマイナスイオンの発生量が少ないとすると、オペレータ周辺でのマイナスイオンの量が不足するおそれを生じる。そこで、上記マイナスイオン発生物質を大形にすることが考えられるが、これでは電子機器における環境改善装置が大形化すると共に、その構成が複雑になって好ましくない。
【００１０】
本発明は、上記のような事情に注目してなされたもので、オペレータが十分な量のマイナスイオンを効果的に吸入できるようにし、かつ、その形状が小形で、かつ、構成が簡単な電子機器における環境改善装置の提供を課題とする。
【００１１】
【課題を解決するための手段】
上記課題を解決するための本発明の電子機器における環境改善装置は、次の如くである。なお、この項において各用語に付記した符号は、本発明の技術的範囲を後述の「発明の実施の形態」の項の内容に限定解釈するものではない。
【００１２】
請求項１の発明は、外殻を構成するハウジング７と、このハウジング７内に収容されオペレータ４の操作を入力することにより作動する電子部品８とを備えた電子機器において、
【００１３】
上記ハウジング７内に収容され電動機１７により駆動されるファン２５と、マイナスイオンを発生してこのマイナスイオンを上記ファン２５により生じた空気流２４に混入させるイオン発生手段２７と、上記マイナスイオンを混入した空気流２４がオペレータ４側に向い上記ハウジング７内からその外部に流出するようこの空気流２４を案内する案内手段２８とを備えたものである。
【００１４】
請求項２の発明は、請求項１の発明に加えて、上記電動機１７に連動連結されて上記ハウジング７を振動させる振動発生体１９を備え、上記イオン発生手段２７が、上記ハウジング７に取り付けられその内部を上記空気流２４が通過するケース２９と、このケース２９内に収容されマイナスイオンを発生する発生物質３０とを備えたものである。
【００１５】
請求項３の発明は、外殻を構成するハウジング７と、このハウジング７内に収容され電力が供給されることによりこのハウジング７を振動させる振動発生機１５とを備えた電子機器において、
【００１６】
上記ハウジング７に取り付けられ外部と連通する開口部３２を有するケース２９と、このケース２９内に収容されマイナスイオンを発生するイオン発生物質３０とを備えたものである。
【００１７】
請求項４の発明は、請求項２、もしくは３の発明に加えて、上記ケース２９内に光触媒物質３５を収容させ、上記ケース２９を透明材で成形したものである。
【００１８】
【発明の実施の形態】
以下、本発明の実施の形態を図面により説明する。
【００１９】
図において、符号１は電子機器、２は電子機器１のうちのゲーム機である。
【００２０】
上記ゲーム機２はゲーム機本体３と、このゲーム機本体３に接続されオペレータ４により所望操作が入力可能とされるコントローラー５とを備え、上記ゲーム機本体３とコントローラー５にはそれぞれ電源６から電力が供給可能とされている。
【００２１】
上記ゲーム機本体３とコントローラー５とは、それぞれその外殻を構成する樹脂製のハウジング７と、これら各ハウジング７内に収容されるプリント基板など電子部品８とを備え、上記ゲーム機本体３の電子部品８は電子機器１の１つであるテレビ９に接続され、このテレビ９もハウジング７と、このハウジング７内に収容される電子部品８を備えている。
【００２２】
一方、上記コントローラー５のハウジング７は、上記電子部品８を収容しその上面に操作部１０を支持するハウジング本体１１と、このハウジング本体１１からオペレータ４側に向って突設されこのオペレータ４の左右各手４ａによって下方から把持される左右一対のグリップ部１２，１２と、これら各グリップ部１２の下面に塗布して固着されるゴム製の滑り防止材１３とを備えている。これら各グリップ部１２を把持した手４ａの親指で上記操作部１０が操作可能とされ、上記コントローラー５の電子部品８は、上記電源６から電力が供給されることと、上記操作部１０を通しオペレータ４の操作が入力されることとにより作動可能とされ、上記コントローラー５の電子部品８の作動に伴い上記ゲーム機本体３の電子部品８が作動して、上記テレビ９に所定の影像が写し出される。
【００２３】
上記コントローラー５はそのハウジング７内に収容されてこのハウジング７を振動可能とさせる振動発生機１５を備えている。この振動発生機１５は、上記各グリップ部１２内にそれぞれ収容されて弾性の支持体１６によりこれら各グリップ部１２に支持され上記電源６から電力が供給されて回転駆動する電動機１７と、この電動機１７の出力軸１８に取り付けられこの電動機１７の駆動に伴い回転して振動力を発生し上記ハウジング７を振動させる偏心重りである振動発生体１９とを備え、上記ゲーム機本体３のプログラムに沿って上記電動機１７が駆動させられ、つまり、ゲームにおける所定の展開状態に応じて上記振動発生機１５が上記コントローラー５のハウジング７を振動させ、この振動がオペレータ４の各手４ａに伝達されることによって、ゲーム感覚が向上させられる。
【００２４】
上記コントローラー５は、このコントローラー５のオペレータ４に対しマイナスイオンを供給可能とする環境改善装置２３を備えている。この環境改善装置２３は、上記電動機１７の出力軸１８に取り付けられこの電動機１７の駆動に伴い回転して空気流２４を生じさせるファン２５と、マイナスイオンを発生してこのマイナスイオンを上記ファン２５により生じた空気流２４に混入させるイオン発生手段２７と、上記マイナスイオンを混入した空気流２４がオペレータ４側に向うよう上記空気流２４を案内する案内手段２８とを備えている。
【００２５】
上記イオン発生手段２７は、上記ハウジング７のグリップ部１２の突出端部の内部側に一体成形されたケース２９と、このケース２９内に収容される粒状体のイオン発生物質３０とを備え、これら各イオン発生物質３０は互いに多少がたつくようこれら各イオン発生物質３０，３０の間に隙間が設けられて上記ケース２９内に収容されている。上記イオン発生物質３０は、これらの互いの衝突により、より多くのマイナスイオンを発生するものであって、例えば、トルマリン製のイオン発生物質３０とされる。
【００２６】
上記案内手段２８は、上記ファン２５に対向する壁に成形されこのファン２５で生じた空気流２４を上記ケース２９内に導入させる多孔形状の入口側開口部３１と、オペレータ４の顔を含む頭部よりも下側で上記ケース２９の上面壁に成形されこのケース２９内の空気流２４をオペレータ４側に向うよう上記ケース２９から後上方に流出させるスリット形状の出口側開口部３２とを備え、この開口部３２は上記オペレータ４の頭部からそれた方向に向って開口させられている。そして、上記開口部３１、ケース２９内の各イオン発生物質３０間の隙間、および上記開口部３２を順次上記空気流２４が通過するとき、この空気流２４に上記イオン発生物質３０から生じたマイナスイオンが混入させられ、これがオペレータ４側に供給される。
【００２７】
上記ケース２９内に上記イオン発生物質３０と共に粒状体の酸化チタン製光触媒物質３５が互いに多少がたつくよう収容され、上記ケース２９は透明（半透明含む）材により成形され、このケース２９の外部の光が上記ケース２９を透過して上記光触媒物質３５に到達可能とされている。上記開口部３１、ケース２９内の各光触媒物質３５間の隙間、および上記開口部３２を順次上記空気流２４が通過するとき、この空気流２４中の有機物は上記光触媒物質３５による光合成で分解されて清浄な空気流２４とされ、これがオペレータ４側に供給される。
【００２８】
図２において、上記テレビ９にも環境改善装置２３が設けられている。この環境改善装置２３は、電動機１７、この電動機１７に連動連結されるファン２５、イオン発生手段２７、案内手段２８、および光触媒物質３５が一つのユニット３７とされており、このユニット３７は一体的に上記テレビ９に着脱自在に取り付け可能とされている。この場合、上記イオン発生手段２７のケース２９は、上記テレビ９のハウジング７とは別体に設けられている。
【００２９】
図２中、符号４０は電子機器１の一つであるパーソナルコンピュータ４０であり、このコンピュータ４０はコンピュータ本体４１、ディスプレイ４２、およびキーボード４３を備え、上記コンピュータ本体４１とディスプレイ４２にはそれぞれ上記環境改善装置２３が設けられている。特に、上記コンピュータ本体４１に設けられた環境改善装置２３の電動機１７とファン２５とは上記コンピュータ本体４１の電子部品８空冷用のものと兼用させられており、上記空気流２４の案内手段２８はパイプ材４５により成形されている。この場合、上記ファン２５により生じた空冷用の空気流２４の一部（もしくは全部）が上記パイプ材４５によりオペレータ４側に向い案内される。
【００３０】
上記コンピュータ４０の環境改善装置２３は、前記のものと一部構成が共通しているため、これら共通するものについては、図２に共通の符号を付してその説明を省略する。
【００３１】
上記構成によれば、電子機器１における環境改善装置２３は、ハウジング７内に収容され電動機１７により駆動されるファン２５と、マイナスイオンを発生してこのマイナスイオンを上記ファン２５により生じた空気流２４に混入させるイオン発生手段２７と、上記マイナスイオンを混入した空気流２４がオペレータ４側に向い上記ハウジング７内からその外部に流出するようこの空気流２４を案内する案内手段２８とを備えている。
【００３２】
このため、上記電子機器１をオペレータ４が操作するときには、上記電子機器１の電子部品８の作動により、電子機器１の周辺の空気が陽性化し、プラスイオンが発生してオペレータ４が不快にさせられるおそれを生じるが、上記イオン発生手段２７で発生したマイナスイオンが上記ファン２５により生じた空気流２４に混入されてこの空気流２４と共にオペレータ４側に向わされる。
【００３３】
よって、オペレータ４は十分な量のマイナスイオンを効果的に吸入できて、オペレータ４に不快感が生じることがより確実に防止される。
【００３４】
そして、上記したように、イオン発生手段２７で発生したマイナスイオンはファン２５による空気流２４によって強制的にオペレータ４側に向わされ、このオペレータ４により十分な量のマイナスイオンが効果的に吸入される分、上記環境改善装置２３は小形で足り、かつ、その構成は簡単になる。
【００３５】
また、前記したように、案内手段２８の出口側開口部３２はオペレータ４の頭部よりも下側に配置されている。
【００３６】
ここで、上記空気流２４はファン２５の上流側における電子機器１のハウジング７内と、ファン２５の下流側における上記ハウジング７内とを通るときに多少なりとも加熱されるものであるため、上記空気流２４が微風であっても、この空気流２４がハウジング７の外部に流出させられたときには、自然に水平方向に拡散しながら上昇して、オペレータ４の顔側に向うこととなり、そこでオペレータ４に吸入されることとなる。
【００３７】
よって、上記ファン２５を駆動させるための電動機１７の容量は小さくて足りることから、環境改善装置２３は、より小形にでき、かつ、既設の電動機１７をそのまま利用できるなど、その構成は簡単となる。しかも、上記ハウジング７から外部に流出する空気流２４は微風で足ることから、オペレータ４の頭部に直接的に空気流２４が向わされる場合に比べて、オペレータ４の眼が乾燥するという不都合の発生は防止され、この点でも、オペレータ４に不快感が生じることが防止される。
【００３８】
また、前記したように、電子機器１は、電動機１７に連動連結されて上記ハウジング７を振動させる振動発生体１９を備え、上記イオン発生手段２７が、上記ハウジング７に取り付けられその内部を上記空気流２４が通過するケース２９と、このケース２９内に収容されるトルマリン製のイオン発生物質３０とを備えている。
【００３９】
ここで、特に、上記トルマリン製のイオン発生物質３０は、これらを互いに衝突させれば、より多くのマイナスイオンを発生するものとされている。このため、上記電動機１７により振動発生体１９が駆動して上記ハウジング７と共にケース２９が振動すると、このケース２９内のイオン発生物質３０はより確実に互いに衝突してより多くのマイナスイオンが発生させられる。しかも、上記イオン発生物質３０から発生したマイナスイオンが各イオン発生物質３０の間の隙間でよどむということは、上記ケース２９の振動により防止されて、このマイナスイオンは上記空気流２４により上記ハウジング７内からその外部に円滑に流出させられる。
【００４０】
よって、より多くのマイナスイオンが発生して、これがハウジング７から円滑に流出させられる分、オペレータ４に不快感が生じることが更に確実に防止される。
【００４１】
そして、上記したように、イオン発生物質３０で発生した多くのマイナスイオンはファン２５による空気流２４によって強制的にオペレータ４側に向わされ、このオペレータ４により十分な量のマイナスイオンが効果的に吸入される分、上記環境改善装置２３は、より小形で足り、かつ、その構成は、より簡単になる。
【００４２】
しかも、上記イオン発生物質３０は電力の供給を不要としてマイナスイオンを発生するため、電力消費が少なく抑制されて有益である。
【００４３】
また、前記したように、ケース２９内に光触媒物質３５を収容させ、上記ケース２９を透明材で成形してある。
【００４４】
このため、上記ケース２９内の空気流２４中の有機物は上記光触媒物質３５による光合成で分解されて清浄な空気流２４とされる。よって、オペレータ４に不快感が生じることはより確実に防止される。
【００４５】
なお、以上は図示の例によるが、電子機器１は、コピー機であってもよく、その電子部品８の冷却用の電動機１７とファン２５とを環境改善装置２３に利用してもよい。また、上記イオン発生手段２７は電力が供給されてマイナスイオンを発生するものであってもよい。また、イオン発生物質３０は粉体を密閉袋に収容させたものでもよい。
【００４６】
【発明の効果】
本発明による効果は、次の如くである。
【００４７】
請求項１の発明は、外殻を構成するハウジングと、このハウジング内に収容されオペレータの操作を入力することにより作動する電子部品とを備えた電子機器において、
【００４８】
上記ハウジング内に収容され電動機により駆動されるファンと、マイナスイオンを発生してこのマイナスイオンを上記ファンにより生じた空気流に混入させるイオン発生手段と、上記マイナスイオンを混入した空気流がオペレータ側に向い上記ハウジング内からその外部に流出するようこの空気流を案内する案内手段とを備えている。
【００４９】
このため、上記電子機器をオペレータが操作するときには、上記電子機器の電子部品の作動により、電子機器の周辺の空気が陽性化し、プラスイオンが発生してオペレータが不快にさせられるおそれを生じるが、上記イオン発生手段で発生したマイナスイオンが上記ファンにより生じた空気流に混入されてこの空気流と共にオペレータ側に向わされる。
【００５０】
よって、オペレータは十分な量のマイナスイオンを効果的に吸入できて、オペレータに不快感が生じることがより確実に防止され、オペレータは電子機器に対しより快適な操作ができる。
【００５１】
そして、上記したように、イオン発生手段で発生したマイナスイオンはファンによる空気流によって強制的にオペレータ側に向わされ、このオペレータにより十分な量のマイナスイオンが効果的に吸入される分、上記環境改善装置は小形で足り、かつ、その構成は簡単になる。
【００５２】
請求項２の発明は、上記電動機に連動連結されて上記ハウジングを振動させる振動発生体を備え、上記イオン発生手段が、上記ハウジングに取り付けられその内部を上記空気流が通過するケースと、このケース内に収容されマイナスイオンを発生するイオン発生物質とを備えている。
【００５３】
このため、上記電動機により振動発生体が駆動して上記ハウジングと共にケースが振動すると、このケース内のイオン発生物質から発生したマイナスイオンが各イオン発生物質の間の隙間でよどむということが防止されて、このマイナスイオンは上記空気流により上記ハウジング内からその外部に円滑に流出させられる。
【００５４】
よって、その分、オペレータは十分な量のマイナスイオンを吸入できて、オペレータに不快感が生じることが、より確実に防止され、オペレータは電子機器に対しより快適な操作ができる。
【００５５】
そして、上記したように、イオン発生物質で発生したマイナスイオンはファンによる空気流によって強制的にオペレータ側に向わされ、このオペレータにより十分な量のマイナスイオンが効果的に吸入される分、上記環境改善装置は、より小形で足り、かつ、その構成は、より簡単になる。
【００５６】
しかも、上記イオン発生物質は電力の供給を不要としてマイナスイオンを発生するため、電力消費が少なく抑制されて有益である。
【００５７】
請求項３の発明は、外殻を構成するハウジングと、このハウジング内に収容され電力が供給されることによりこのハウジングを振動させる振動発生機とを備えた電子機器において、
【００５８】
上記ハウジングに取り付けられ外部と連通する開口部を有するケースと、このケース内に収容されマイナスイオンを発生するイオン発生物質とを備えている。
【００５９】
このため、上記振動発生機が駆動して上記ハウジングと共にケースが振動すると、このケース内のイオン発生物質から発生したマイナスイオンが各イオン発生物質の間の隙間でよどむということが防止されて、このマイナスイオンは上記ハウジング内からその外部に流出させられる。
【００６０】
よって、その分、オペレータは十分な量のマイナスイオンを吸入できて、オペレータに不快感が生じることが、より実に防止され、オペレータは電子機器に対しより快適な操作ができる。
【００６１】
そして、上記したように、オペレータが十分な量のマイナスイオンを吸入できる分、上記環境改善装置は、より小形で足り、かつ、その構成は、より簡単になる。
【００６２】
しかも、上記イオン発生物質は電力の供給を不要としてマイナスイオンを発生するため、電力消費が少なく抑制されて有益である。
【００６３】
請求項４の発明は、上記ケース内に光触媒物質を収容させ、上記ケースを透明材で成形してある。
【００６４】
このため、上記ケース内の空気流中の有機物は上記光触媒物質による光合成で分解されて清浄な空気流とされる。よって、オペレータに不快感が生じることはより確実に防止され、オペレータは電子機器に対し更に快適な操作ができる。
【図面の簡単な説明】
【図１】図３で示したものの側面部分断面図である。
【図２】全体平面部分拡大断面図である。
【図３】図２の部分拡大詳細図である。
【符号の説明】
１　　　電子機器
２　　　ゲーム機
４　　　オペレータ
５　　　コントローラー
６　　　電源
７　　　ハウジング
８　　　電子部品
９　　　テレビ
１５　　振動発生機
１６　　支持体
１７　　電動機
１８　　出力軸
１９　　振動発生体
２３　　環境改善装置
２４　　空気流
２５　　ファン
２７　　イオン発生手段
２８　　案内手段
２９　　ケース
３０　　イオン発生物質
３１　　開口部
３２　　開口部
３５　　光触媒物質
３７　　ユニット
【図１】
2004129806.tif 000003
【図２】
2004129806.tif 000004
【図３】
2004129806.tif 000005